(57)【要約】【課題】印刷停止時においても分解装置内の部品の破損を防ぐことができるインクジェット記録装置を提供する。【解決手段】インクジェット記録装置１は、インクに含まれる揮発性有機化合物を分解する分解装置３と、分解装置３内に送風して、当該分解装置３を冷却する冷却手段４と、インクの吐出が終了してから所定の時間が経過するまで、冷却手段４を駆動し続ける制御手段２とを備える。【選択図】図１
2014133399.tif 000002
【特許請求の範囲】
【請求項１】
揮発性有機化合物を含むインクを記録媒体に吐出する記録ヘッドを備えるインクジェット記録装置であって、
上記記録ヘッドから吐出されるインクに含まれる揮発性有機化合物を分解する分解装置と、
上記分解装置内に送風することによって、当該分解装置を冷却する冷却手段と、
上記冷却手段を制御する制御手段であって、上記記録ヘッドがインクの吐出を終了してから所定の時間が経過するまで、上記冷却手段を駆動し続ける制御手段とを備えることを特徴とするインクジェット記録装置。
【請求項２】
上記インクジェット記録装置を駆動するための電力を供給する電源部と、
上記電源部が電力の供給を停止した場合に、上記制御手段および上記冷却手段に電力を供給する予備電源部とをさらに備え、
上記制御手段は、上記予備電源部による電力の供給をも制御するものであり、上記電源部が電力の供給を停止したことで上記記録ヘッドがインクの吐出を終了すると、当該記録ヘッドがインクの吐出を終了してから上記所定の時間が経過するまで、上記予備電源部によって上記冷却手段を駆動し続けることを特徴とする請求項１に記載のインクジェット記録装置。
【請求項３】
上記記録ヘッドがインクの吐出を行う領域に送風することによって、上記揮発性有機化合物を上記分解装置まで導く送風手段をさらに備え、
上記制御手段は、上記電源部が電力の供給を停止した場合に、上記予備電源部によって上記送風手段にも電力を供給することを特徴とする請求項２に記載のインクジェット記録装置。
【請求項４】
上記分解装置内の温度を検出する温度センサをさらに備え、
上記制御手段は、上記温度センサが検出した温度に応じて、上記冷却手段による送風量を制御することを特徴とする請求項１〜３のいずれか１項に記載のインクジェット記録装置。
【請求項５】
上記記録ヘッドがインクの吐出を行う領域から上記分解装置までの間に位置し、上記揮発性有機化合物の濃度を検出する濃度センサをさらに備え、
上記制御手段は、上記濃度センサが検出した濃度に応じて、上記冷却手段による送風量を制御することを特徴とする請求項１〜３のいずれか１項に記載のインクジェット記録装置。
【請求項６】
上記記録ヘッドがインクの吐出を行う領域から上記分解装置まで上記揮発性有機化合物を導く排気ダクトであって、外部の大気を内部に流通するための流通口を設けた排気ダクトと、
上記流通口を開閉する開閉手段とをさらに備え、
上記制御手段は、上記開閉手段による上記流通口の開閉をも制御するものであり、上記電源部が電力の供給を停止した場合に、上記予備電源部によって上記開閉手段にも電力を供給すると共に、上記予備電源部によって上記開閉手段に上記流通口を開かせることを特徴とする請求項２に記載のインクジェット記録装置。
【発明の詳細な説明】
【技術分野】
【０００１】
本発明は、揮発性有機化合物（ＶＯＣ）を分解するインクジェット記録装置に関する。
【背景技術】
【０００２】
インクジェット記録装置では、保存安定性、印刷信頼性、およびメディア（記録媒体）の耐久性を得るために、少なくとも炭化水素系溶剤（揮発性有機溶剤；ＶＯＣ）を含むインクを使っている。このインクに含まれる揮発性有機化合物は、インクジェット記録装置の乾燥工程における加熱によってメディアより揮散し、その多くは記録装置の近辺を漂ったり、結露して定着したりする等して、次第に大気に拡散されている。揮発性有機化合物の排出規制は国や各業界団体で強めつつあり、揮発性有機化合物を大量に生産および消費する産業および事業を中心に揮発性有機化合物の排出量の削減や揮発性有機化合物の排出に対する対策がなされている。
【０００３】
数ある印刷方式の中でも、インクジェット方式は無駄になるインクの少ない技術であり、個々のインクジェット記録装置から排出される揮発性有機化合物は他の印刷方式と比べて格段に少ない。そのため、インクジェット方式は印刷方式の中でも着実に普及している印刷方式である。
【０００４】
そこで、インクジェット方式において、インクに含まれる揮発性有機化合物の放散を防ぐ技術の開発は急務である。揮発性有機化合物の処理方法は大きく回収処理と分解処理とに大別される。分解処理では、燃焼処理法が一般に用いられている。燃焼処理法は、メディアの乾燥によって排出される揮発性有機化合物を燃焼する方法である。例えば特許文献１には、燃焼処理法を用いるドライヤが開示されている。具体的には、ドライヤ本体でメディアのインクを乾燥させた排気ガスを、燃焼式の脱臭装置を通して脱臭してから大気に排出するように構成した印刷機のドライヤが開示されている。
【先行技術文献】
【特許文献】
【０００５】
【特許文献１】特開平１１−２９１４５４号公報（１９９９年１０月２６日公開）
【発明の概要】
【発明が解決しようとする課題】
【０００６】
特許文献１に開示されているような燃焼処理法を用いた分解処理を行う分解装置では、揮発性有機化合物を燃焼する際に熱が生じるため、揮発性有機化合物を燃焼する際に発生する排気ガスは熱を有している。熱を有する排気ガスが分解装置内に滞留することで分解装置が高温になってしまう虞がある。そこで、高温になった冷却装置を冷却して分解装置を低温に保つために、分解装置内に送風を行う方法が採用されている。ただし、このような分解装置を用いて揮発性有機化合物の分解を行い、印刷停止時に分解装置への送風を止めてしまうと、一時的に過剰な熱が発生し、分解装置内の部品を破損してしまうことがある。このような問題は、停電等が発生した場合に特に顕著である。
【０００７】
そこで、本発明は、上記の課題に鑑みてなされたものであり、その目的は、印刷停止時においても分解装置内の部品の破損を防ぐことができるインクジェット記録装置を提供することにある。
【課題を解決するための手段】
【０００８】
本発明の一態様に係るインクジェット記録装置は、上記の課題を解決するために、揮発性有機化合物を含むインクを記録媒体に吐出する記録ヘッドを備えるインクジェット記録装置であって、上記記録ヘッドから吐出されるインクに含まれる揮発性有機化合物を分解する分解装置と、上記分解装置内に送風することによって、当該分解装置を冷却する冷却手段と、上記冷却手段を制御する制御手段であって、上記記録ヘッドがインクの吐出を終了してから所定の時間が経過するまで、上記冷却手段を駆動し続ける制御手段とを備えることを特徴としている。
【０００９】
上記の構成によれば、制御手段は、記録ヘッドがインクの吐出を終了してから所定の時間が経過するまで、冷却手段を駆動し続ける。すなわち、印刷が停止した後も、冷却手段は停止せずに、所定の時間の間だけ駆動し続ける。
【００１０】
分解装置において揮発性有機化合物を排気ガスに分解する際に熱が生じるため、排気ガスは揮発性有機化合物を分解する際に生じる熱を有している。従来では、印刷停止時に冷却手段による分解装置内への送風が止まり、分解装置内に滞留する揮発性有機化合物の分解が継続して行われるために分解装置が高温になり、分解装置内の部品を破損してしまうことがあった。
【００１１】
しかし、本発明の一態様に係るインクジェット記録装置では、印刷が停止した後も、分解装置の冷却が引き続き行われる。これにより、インクジェット記録装置において、一時的に発生する分解装置内における過剰な熱を抑えることができるので、分解装置内の部品の破損を防ぐことができる。
【００１２】
さらに、本発明の一態様に係るインクジェット記録装置においては、上記インクジェット記録装置を駆動するための電力を供給する電源部と、上記電源部が電力の供給を停止した場合に、上記制御手段および上記冷却手段に電力を供給する予備電源部とをさらに備え、上記制御手段は、上記予備電源部による電力の供給をも制御するものであり、上記電源部が電力の供給を停止したことで上記記録ヘッドがインクの吐出を終了すると、当該記録ヘッドがインクの吐出を終了してから上記所定の時間が経過するまで、上記予備電源部によって上記冷却手段を駆動し続ける構成であってもよい。
【００１３】
上記の構成によれば、電源部による電力の供給が停止すると、制御手段は、予備電源部に、制御手段および冷却手段に対して電力を供給させる。そして、制御手段は、記録ヘッドがインクの吐出を終了してから所定の時間が経過するまで、冷却手段を駆動し続ける。すなわち、停電等で電源部による電力の供給が停止することで印刷が停止した後も、冷却手段は停止せずに、予備電源部によって供給される電力により、所定の時間の間だけ駆動し続ける。
【００１４】
そのため、停電等によってインクジェット記録装置への電力供給が停止することで印刷が停止した後も、分解装置の冷却が引き続き行われる。これにより、停電等でインクジェット記録装置への電力供給が停止することで一時的に発生する分解装置内における過剰な熱が抑えられるので、分解装置内の部品の破損を防ぐことができる。
【００１５】
さらに、本発明の一態様に係るインクジェット記録装置においては、上記記録ヘッドがインクの吐出を行う領域に送風することによって、上記揮発性有機化合物を上記分解装置まで導く送風手段をさらに備え、上記制御手段は、上記電源部が電力の供給を停止した場合に、上記予備電源部によって上記送風手段にも電力を供給する構成であってもよい。
【００１６】
上記の構成によれば、電源部による電力の供給が停止すると、制御手段は、予備電源部に、制御手段、冷却手段、および送風手段に対して電力を供給させる。そして、制御手段は、電源部による電力の供給が停止したことで記録ヘッドがインクの吐出を終了した後も、送風手段を駆動し続ける。すなわち、停電等で電源部による電力の供給が停止した後も、送風手段は停止せずに、予備電源部によって供給される電力により、駆動し続ける。
【００１７】
そのため、停電等によってインクジェット記録装置への電力供給が停止することで印刷が停止した後も、記録ヘッドがインクの吐出を行う領域内でインクの乾燥によって揮発する揮発性有機化合物が希釈される。これにより、記録ヘッドがインクの吐出を行う領域の内部に揮発した水蒸気および揮発性有機化合物等が滞留しないので、インクの乾燥が妨げられるのを防ぐことができる。
【００１８】
さらに、本発明の一態様に係るインクジェット記録装置においては、上記分解装置内の温度を検出する温度センサをさらに備え、上記制御手段は、上記温度センサが検出した温度に応じて、上記冷却手段による送風量を制御する構成であってもよい。
【００１９】
上記の構成によれば、分解装置内の温度に応じて、冷却手段による送風量を制御する。例えば、温度センサによって検出された分解装置内の温度が所定の温度よりも高い場合には、制御手段は、冷却手段による分解装置内への送風量を増加させることによって、分解装置の冷却をより効果的に行う。一方、温度センサによって検出された分解装置内の温度が所定の温度以下の場合には、制御手段は、冷却手段による分解装置内への送風量を低減させる。このように、分解装置内の温度に応じて、冷却手段による送風量を制御することにより、分解装置内の温度上昇を抑えることができ、分解装置内の部品の破損を防ぐことができる。
【００２０】
さらに、本発明の一態様に係るインクジェット記録装置においては、上記記録ヘッドがインクの吐出を行う領域から上記分解装置までの間に位置し、上記揮発性有機化合物の濃度を検出する濃度センサをさらに備え、上記制御手段は、上記濃度センサが検出した濃度に応じて、上記冷却手段による送風量を制御する構成であってもよい。
【００２１】
上記の構成によれば、記録ヘッドがインクの吐出を行う領域から分解装置までの間の揮発性有機化合物の濃度に応じて、冷却手段による送風量を制御する。例えば、濃度センサによって検出された揮発性有機化合物の濃度が所定の濃度よりも高い場合には、制御手段は、冷却手段による分解装置内への送風量を増加させることによって、分解装置内の揮発性有機化合物の濃度の上昇を抑制する。一方、濃度センサによって検出された揮発性有機化合物の濃度が所定の濃度以下の場合には、制御手段は、冷却手段による分解装置内への送風量を低減させる。このように、記録ヘッドがインクの吐出を行う領域から分解装置までの間の揮発性有機化合物の濃度に応じて、冷却手段による送風量を制御することにより、分解装置内の揮発性有機化合物の濃度の上昇が抑えられるので、分解装置内の部品の破損を防ぐことができる。
【００２２】
さらに、本発明の一態様に係るインクジェット記録装置においては、上記記録ヘッドがインクの吐出を行う領域から上記分解装置まで上記揮発性有機化合物を導く排気ダクトであって、外部の大気を内部に流通するための流通口を設けた排気ダクトと、上記流通口を開閉する開閉手段とをさらに備え、上記制御手段は、上記開閉手段による上記流通口の開閉をも制御するものであり、上記電源部が電力の供給を停止した場合に、上記予備電源部によって上記開閉手段にも電力を供給すると共に、上記予備電源部によって上記開閉手段に上記流通口を開かせる構成であってもよい。
【００２３】
上記の構成によれば、電源部による電力の供給が停止すると、制御手段は、予備電源部に、制御手段、冷却手段、および開閉手段に対して電力を供給させる。そして、制御手段は、電源部による電力の供給が停止すると、開閉手段に流通口を開かせる。すなわち、停電等で電源部による電力の供給が停止すると、開閉手段は予備電源部によって供給される電力により流通口を開き、排気ダクト内に外部の大気を流通する。これにより、排気ダクト内に外部の大気が導入されると共に、排気ダクト内の揮発性有機化合物が外部に排出される。その結果、分解装置内の揮発性有機化合物の濃度の上昇が抑えられるので、分解装置内の部品の汚損を防ぐことができる。
【発明の効果】
【００２４】
本発明の一態様に係るインクジェット装置によれば、制御手段は、記録ヘッドがインクの吐出を終了してから所定の時間が経過するまで、冷却手段を駆動し続ける。すなわち、印刷が停止した後も、冷却手段は停止せずに、所定の時間の間だけ駆動し続ける。そのため、本発明の一態様に係るインクジェット記録装置では、印刷が停止した後も、分解装置の冷却が引き続き行われる。これにより、インクジェット記録装置において、一時的に発生する分解装置内における過剰な熱を抑えられるので、分解装置内の部品の破損を防ぐことができる。
【図面の簡単な説明】
【００２５】
【図１】本発明の一実施形態に係るインクジェット記録装置を示す要部構成図である。
【図２】本発明の一実施形態に係るインクジェット記録装置を示す概略図である。
【図３】本発明の一実施形態に係る検出手段が検出した情報に基づいて、冷却制御手段が冷却手段の駆動を制御するまでの流れを示すフロー図である。
【図４】本発明の他の実施形態に係るインクジェット記録装置を示す概略図である。
【図５】本発明の他の実施形態に係るインクジェット記録装置を示す要部構成図である。
【図６】本発明の他の実施形態に係る検出手段が検出した電源部による電力の供給状態の情報に基づいて、予備電源制御手段が予備電源部を制御するまでの流れを示すフロー図である。
【図７】本発明のさらに他の実施形態に係るインクジェット記録装置を示す概略図である。
【図８】本発明のさらに他の実施形態に係るインクジェット記録装置を示す要部構成図である。
【図９】本発明のさらに他の実施形態に係る検出手段が検出した電源部による電力の供給状態の情報に基づいて、送風制御手段が送風手段を制御するまでの流れを示すフロー図である。
【図１０】本発明のまたさらに他の実施形態に係るインクジェット記録装置を示す概略図である。
【図１１】本発明のまたさらに他の実施形態に係るインクジェット記録装置を示す要部構成図である。
【図１２】本発明のまたさらに他の実施形態に係る検出手段が検出した電源部による電力の供給状態の情報に基づいて、開閉制御手段が開閉手段を制御するまでの流れを示すフロー図である。
【発明を実施するための形態】
【００２６】
図面に基づいて、本発明の実施の形態について詳細に説明する。なお、以下の説明においては、同一の機能および作用を示す部材については、同一の符号を付し、説明を省略する。
【００２７】
〔第１の実施形態〕
（インクジェット記録装置１）
以下、本発明の第１の実施形態について、図２を参照して詳細に説明する。図２は、本実施形態に係るインクジェット記録装置を示す概略図である。
【００２８】
本実施形態に係るインクジェット記録装置は、記録ヘッドとメディアとの位置を相対的に移動させて、メディア（記録媒体）に印刷を行っている。本実施形態に係るインクジェット記録装置では、揮発性有機化合物（ＶＯＣ）を含むインク（以下、「インク」とも称する。）をメディアに吐出するために使用している。
【００２９】
図２に示すように、本実施形態に係るインクジェット記録装置１は、制御手段２、分解装置３、冷却手段４、およびインク吐出部５を有している。インク吐出部５は、さらに記録ヘッド１７、ガイド機構１８、およびプラテン１９を有している。インクジェット記録装置１は、記録ヘッド１７の移動方向と、メディア２０の移動方向が直交した状態でメディア２０に印刷を行うシリアルヘッド式のインクジェットプリンタである。
【００３０】
（インク吐出部５）
インク吐出部５では、記録ヘッド１７から揮発性有機化合物を含むインクをメディア２０に吐出する。記録ヘッド１７は、ガイド機構１８に沿って図２の紙面左右方向に走査しながら、所望の画像をメディア２０にインクで描画する。
【００３１】
本実施形態において、メディア２０はプラテン１９に載置されている。プラテン１９は、メディア２０に吐出されたインクを乾燥するために、ヒーター等の乾燥手段（図示せず）を備えている。記録ヘッド１７によってインクが吐出されたメディア２０は、プラテン１９の乾燥手段によってインクが乾燥された後、インクジェット記録装置１から外部に排出される。
【００３２】
（分解装置３）
メディア２０に吐出されたインクを乾燥する際に、インクが加熱されることにより、インクに含まれる水および揮発性有機化合物等が揮発する。揮発した揮発性有機化合物は、排気ダクト１４ａ、冷却手段４、および排気ダクト１４ｂを通って、インク吐出部５から分解装置３へと導かれる。分解装置３は、排気ダクト１４ｂから導入された揮発性有機化合物を水蒸気および炭酸ガス等に分解し、これらの気体を排気ガスとして排気ダクト１４ｃから外部に排出するものである。なお、記録ヘッドから吐出されたインクがすべてメディア２０に付着するわけではなく、一部のインクはメディア２０に付着せず、霧状のインクがインクジェット記録装置１内に生じる。そして、インクに含まれる揮発性有機化合物が揮発すると、記録ヘッド１７からインクが吐出される際に生じる霧状のインクとインクジェット記録装置１内で混合する。そこで、分解装置３は、メディア２０上に吐出されたインクから揮発した揮発性有機化合物のみならず、霧状のインク中に含まれる揮発性有機化合物をも分解するものであってもよい。
【００３３】
本実施形態に係る分解装置３の詳細な構成について説明する。分解装置３は、導入口、分解部、および排出口を有している。導入口は、揮発性有機化合物を分解装置３内に導入するためのものである。分解部は、導入口から導入された揮発性有機化合物を分解し、排気ガスを生じさせるものである。排出口は、分解部が発生した排気ガスを排気ダクト１４ｃに排出するためのものである。
【００３４】
上述したように、分解部は、導入口から供給された揮発性有機化合物を分解し、排気ガスを生じさせるものである。分解部は、揮発性有機化合物の分解反応を促進させるために、ヒーター等の加熱手段を備えていてもよい。揮発性有機化合物の分解には、任意の分解方法を採用することができるが、酸化分解処理法によって揮発性有機化合物を分解することが好ましい。酸化分解処理法を採用することにより、他の分解手法に比べて、長期間安定した揮発性有機化合物の除去性能を維持することができる。酸化分解処理法の具体例としては、触媒燃焼方式、バーナー、または電熱線等を使用する直接燃焼方式等が挙げられる。触媒燃焼方式は、有機成分を例えば３５０℃程度の低温に加熱し、貴金属等の触媒を用いて当該有機成分を酸化分解させる方式である。触媒燃焼方式は、触媒の表面では酸化反応が低温で進行する触媒反応を利用した燃焼方式であるため、低温で有機成分を酸化分解させることができる。したがって、触媒燃焼方式は直接燃焼方式に比べて高温にする必要がなく、加熱のためのエネルギーを少なくできる利点がある。また、分解時に発生する熱によって継続して触媒を熱活性させることができるため、さらに加熱のためのエネルギーが少なくて済む。
【００３５】
分解部における揮発性有機化合物の分解には、例えば、一般的に用いられるプラチナの他に、酸化クロム、酸化ニッケル、酸化鉄、酸化コバルト、酸化セリウム、および酸化チタン等の酸化物触媒を触媒として使用することができる。これらの酸化物触媒を使用する場合には、触媒の温度が２００℃以上５００℃以下になるように、ヒーター等によって触媒を加熱し、熱活性することが好ましい。これにより、揮発性有機化合物を分解部にて効率的に分解することができる。
【００３６】
分解部は、導入口と排出口とを繋ぐ導入管の内部に配置されていてもよい。この場合、導入管は分解部を内部に含んでいるため、揮発性有機化合物を分解する際に生じる熱は、導入管の内部を通過する揮発性有機化合物を含む気体に吸収させることができ、揮発性有機化合物の分解効率を向上させることができる。また、高温部が露出しないため、安全性および耐久性等に優れたインクジェット記録装置１を実現できる。また、分解部にて生じる熱が、外部に伝導することをより抑制するため、インクジェット記録装置１が熱によって損傷することを抑制できる。
【００３７】
（冷却手段４）
分解装置３において揮発性有機化合物を排気ガスに分解する際に熱が生じるため、排気ガスは揮発性有機化合物を分解する際に生じる熱を有している。熱を有する排気ガスが分解装置３内に滞留することで分解装置３が高温になり、分解装置３内の部品を破損してしまう虞がある。そこで、インクジェット記録装置１では、排気ダクト１４ａと排気ダクト１４ｂとの間に冷却手段４を配置している。冷却手段４は、送風ファン等の冷却手段であり、分解装置３内に送風することによって、分解装置３を冷却する。このように、揮発性有機化合物を分解装置３にて分解することにより、熱を有する排気ガスが生じるが、冷却手段４が駆動することにより分解装置３が冷却される。結果、分解装置３が過熱して分解装置３内の部品を破損することがない。
【００３８】
冷却手段４の駆動は、制御手段２によって制御されている。具体的には、分解装置３内の温度、インク吐出部５から分解装置３までの揮発性有機化合物の濃度、あるいはインク吐出部５におけるインク吐出の状態に応じて、冷却手段４の駆動は制御されている。制御手段２による具体的な制御処理については、後ほど詳しく説明する。
【００３９】
（メディア２０）
メディア２０は、ヘッドから吐出されるインクを付着させるものである。メディア２０は、目的に応じて適宜定めることができる。例えば、板状部材、およびシート状の部材等が挙げられる。
【００４０】
（インク）
インクジェット記録装置１に用いるインクとしては、揮発性有機化合物を含んでいるインクであれば限定されない。例えば、水性インク、溶剤インク、熱硬化型インク、および紫外線硬化型インク等のインクが挙げられる。本実施形態においては、上述したように、インク吐出部５の記録ヘッド１７からメディア２０にインクが吐出され、プラテン１９の乾燥手段によって乾燥されることにより、インクに含まれる水および揮発性有機化合物等が揮発する。
【００４１】
揮発性有機化合物は、常温常圧で大気中に容易に揮発する有機化学物質であり、水性インク、溶剤インク、熱硬化型インク、および紫外線硬化型インク等のインクに使用される有機溶剤である。揮発性有機化合物としては、例えばグリコールエーテル系溶剤、ラクトン系溶剤、ヘキサン、ヘプタン、オクタン、イソオクタン、シクロヘキサン、ベンゼン、トルエン、ｏ−キシレン、ｍ−キシレン、ｐ−キシレン、およびエチルベンゼン等の炭化水素系溶剤、また、ジクロロメタン、フロン類、プロピレングリコールモノメチルエーテル、酢酸プロピル、プロピレングリコールモノメチルエーテルアセテート、エチレングリコール、テトラリン、Ｎ−メチル−２−ピロリドン、γ−ブチロラクトン、エチレングリコールエチルメチルエーテル、およびエチレングリコールモノメチルエーテル等の有機化学物質が挙げられる。
【００４２】
（制御手段２）
上述したように、制御手段２は、冷却手段４の駆動を制御している。具体的な制御処理について、図１を参照して説明する。図１は、インクジェット記録装置１を示す要部構成図である。
【００４３】
図１に示すように、制御手段２は、冷却制御手段７および検出手段８を有している。検出手段８は、インク吐出部５におけるインク吐出の状態を検出する。冷却制御手段７は、インクジェット記録装置１に設けられたセンサ６が検出した情報、あるいは検出手段８が検出した情報に基づいて、冷却手段４の駆動を制御している。
【００４４】
＜冷却手段４の送風量の制御＞
まず、センサ６が検出した情報に基づいて、冷却制御手段７が冷却手段４の駆動を制御する処理について説明する。インクジェット記録装置１に設けられているセンサ６は、分解装置３内の温度を検出する温度センサ、および排気ダクト１４ａまたは排気ダクト１４ｂ（すなわち、インク吐出部５から分解装置３までの間）に位置し、揮発性有機化合物の濃度を検出する濃度センサである。なお、インクジェット記録装置１は、センサ６として温度センサおよび濃度センサの双方を有している必要はなく、いずれか一方のみを有していてもよい。
【００４５】
温度センサは、自身が検出した分解装置３内の温度の情報を冷却制御手段７に送る。冷却制御手段７は、温度センサが検出した分解装置３内の温度の情報に基づいて、冷却手段４による分解装置３内への送風量を制御する。具体的には、熱を有する排気ガスが分解装置３内に滞留することで分解装置３が高温になり過ぎると、分解装置３内の部品を破損してしまうことがある。そのため、温度センサによって検出された分解装置３内の温度が所定の温度よりも高い場合には、冷却制御手段７は、冷却手段４による分解装置３内への送風量を増加させることによって、分解装置３の冷却をより効果的に行う。一方、温度センサによって検出された分解装置３内の温度が所定の温度以下の場合には、冷却制御手段７は、冷却手段４による分解装置３内への送風量を低減させる。
【００４６】
このように、分解装置３内の温度に応じて、冷却手段４による送風量を制御することにより、分解装置３内の温度上昇を抑えることができ、分解装置３内の部品の破損を防ぐことができる。また、分解装置３内の温度が所定値以下の場合には、冷却手段４による分解装置３内への送風量を低減させることにより、冷却手段４の駆動電力、すなわちインクジェット記録装置１の消費電力を削減することができる。
【００４７】
分解装置３に触媒燃焼方式を採用した場合、分解装置３内の温度が低下すると触媒が不活性の状態となり、揮発性有機化合物の分解可能量が低下する。分解装置３内に分解可能量を超える揮発性有機化合物が滞留すると、未分解の成分が分解装置３に付着するため、分解装置３内の部品を汚損する虞がある。分解装置３内の温度が所定値以下の場合には、冷却手段４による分解装置３内への送風量を低減させることにより、分解装置３内の部品の汚損を防ぐことができる。
【００４８】
一方、濃度センサは、自身が検出したインク吐出部５から分解装置３までの間の揮発性有機化合物の濃度の情報を冷却制御手段７に送る。冷却制御手段７は、濃度センサが検出した揮発性有機化合物の濃度の情報に基づいて、冷却手段４による分解装置３内への送風量を制御する。具体的には、インク吐出部５から分解装置３までの間の揮発性有機化合物の濃度の増減は、分解装置３内における揮発性有機化合物の濃度の増減を意味する。分解装置３内の揮発性有機化合物の濃度が上昇すると、分解装置３内に滞留する揮発性有機化合物の分解が継続して行われるため、熱を有する排気ガスが分解装置３内に滞留することで分解装置３が高温になり過ぎ、分解装置３内の部品を破損してしまうことがある。そのため、濃度センサによって検出された揮発性有機化合物の濃度が所定の濃度よりも高い場合には、冷却制御手段７は、冷却手段４による分解装置３内への送風量を増加させることによって、分解装置３内の揮発性有機化合物の濃度の上昇を抑制する。ただし、冷却手段４による分解装置３内への送風によって、排気ダクト１４ｂ内に存在している揮発性有機化合物を分解装置３内に流入することにもなる。そのため、濃度センサによって検出された揮発性有機化合物の濃度が所定の濃度よりも高い場合には、冷却制御手段７は、分解装置３内に分解可能量を超える揮発性有機化合物が流入しない程度に、冷却手段４による分解装置３内への送風量を増加させることが好ましい。一方、濃度センサによって検出された揮発性有機化合物の濃度が所定の濃度以下の場合には、冷却制御手段７は、冷却手段４による分解装置３内への送風量を低減させる。
【００４９】
このように、インク吐出部５から分解装置３までの間の揮発性有機化合物の濃度に応じて、冷却手段４による送風量を制御することにより、分解装置３内の揮発性有機化合物の濃度の上昇を抑えることができ、分解装置３内の部品の破損を防ぐことができる。また、インク吐出部５から分解装置３までの間の揮発性有機化合物の濃度が所定値以下の場合には、冷却手段４による分解装置３内への送風量を低減させることにより、冷却手段４の駆動電力、すなわちインクジェット記録装置１の消費電力を削減することができる。
【００５０】
なお、以上では分解装置３内の温度、あるいはインク吐出部５から分解装置３までの間の揮発性有機化合物の濃度に応じて、冷却手段４による送風量を制御する構成を挙げたが、必ずしもこれに限定されるわけではない。例えば、分解装置３内の温度、あるいはインク吐出部５から分解装置３までの間の揮発性有機化合物の濃度に応じて、インクジェット記録装置１の駆動を制御してもよい。具体的には、インクジェット記録装置１を駆動するための電力を供給する電源部（図示せず）を制御する電源制御手段を制御手段２に設け、分解装置３内の温度、あるいはインク吐出部５から分解装置３までの間の揮発性有機化合物の濃度が所定値よりも大きい場合には、電源制御手段が電源部による電力の供給を停止してもよい。このように、分解装置３内の温度、あるいはインク吐出部５から分解装置３までの間の揮発性有機化合物の濃度が所定値よりも大きい場合にはインクジェット記録装置１を停止することによっても、分解装置３内の部品の破損を防ぐことができる。
【００５１】
＜冷却手段４の駆動の制御＞
インクジェット記録装置１では、印刷停止時に冷却手段４による分解装置３内への送風を止めてしまうと、分解装置３内に一時的に過剰な熱が発生し、分解装置３内の部品を破損してしまうことがある。そこで、本実施形態に係るインクジェット記録装置１では、印刷が停止した後も冷却手段４を駆動させることを特徴としている。具体的には、検出手段８が検出したインク吐出部５におけるインク吐出の状態の情報に基づいて、印刷が停止した後も冷却手段４が駆動し続けるように、冷却制御手段７が冷却手段４の駆動を制御している。
【００５２】
以下では、検出手段８が検出した情報に基づいて、冷却制御手段７が冷却手段４の駆動を制御する処理について、図３に沿って説明する。図３は、検出手段８が検出した情報に基づいて、冷却制御手段７が冷却手段４の駆動を制御するまでの流れを示すフロー図である。
【００５３】
まず検出手段８は、インク吐出部５におけるインク吐出の状態を検出する（ステップＳ１；以下、「Ｓ１」と略記する。）。インク吐出の状態を検出するとは、記録ヘッド１７がインクを吐出している状態であるのか否かを検出することである。検出手段８では、記録ヘッド１７がインクを吐出している状態から、インクを吐出していない状態に切り替わった時点でインク吐出部５においてインクの吐出が終了したと判断する。すなわち、記録ヘッド１７がインクを吐出している状態から、インクを吐出していない状態に切り替わった時点で印刷が停止したと判断する。
【００５４】
検出手段８が、インク吐出部５においてインクの吐出が終了したことを検知すると（Ｓ２，ＹＥＳ）、その検知情報は冷却制御手段７に送られる。冷却制御手段７は、検出手段８の検知情報に基づいて、インク吐出部５におけるインクの吐出が終了してから所定の時間が経過するまで、冷却手段４を駆動し続ける（Ｓ３）。これにより、印刷が停止した後も、所定の時間の間だけ冷却手段４は駆動し続けることになる。
【００５５】
一方、検出手段８が、インク吐出部５においてインクの吐出が終了したことを検知しない場合には（Ｓ２，ＮＯ）、Ｓ１に戻り、インク吐出部５におけるインク吐出の状態の検出を行う。インクジェット記録装置１では、以上の一連の動作を繰り返し行う。
【００５６】
このように、検出手段８が、インク吐出部５においてインクの吐出が終了したことを検知すると、冷却制御手段７は、インク吐出部５におけるインクの吐出が終了してから所定の時間が経過するまで、冷却手段４を駆動し続ける。すなわち、印刷が停止した後も、冷却手段４は停止せずに、所定の時間の間だけ駆動し続ける。そのため、印刷が停止した後も、分解装置３の冷却が引き続き行われる。これにより、インクジェット記録装置１において、一時的に発生する分解装置３内における過剰な熱を抑えられるので、分解装置３内の部品の破損を防ぐことができる。
【００５７】
〔第２の実施形態〕
以下には、本発明の第２の実施形態について、図４を参照して詳細に説明する。図４は、本実施形態に係るインクジェット記録装置を示す概略図である。なお、第１の実施形態と同一の部材については、共通の番号を付し、その説明を省略している。
【００５８】
（インクジェット記録装置１ａ）
図４に示すように、本実施形態に係るインクジェット記録装置１ａは、制御手段２ａ、分解装置３、冷却手段４、インク吐出部５、予備電源部１５、および電源部１６を有している。電源部１６は、インクジェット記録装置１ａを駆動するために必要な電力を供給する。また、予備電源部１５は、電源部１６が電力の供給を停止した場合に、制御手段２ａおよび冷却手段４に電力を供給する。図中の太線の矢印は、予備電源部１５による電力供給を表している。なお、図を簡略化するために電源部１６による電力供給は表していない。予備電源部１５は、一般的にサーバ等に用いられる大容量の電源であってもよいし、キャパシタ等であってもよい。
【００５９】
（制御手段２ａ）
第１の実施形態において、インクジェット記録装置１への電力の供給が停止してしまうと、冷却手段４が停止する。インクジェット記録装置１への電力の供給が停止するのは、例えば災害による停電時、あるいは分解装置３の過熱を検知したことを受けて電力の供給を停止した時等が挙げられる。冷却手段４が停止すると、分解装置３内に一時的に過剰な熱が発生し、分解装置３内の部品を破損してしまう虞がある。そこで、本実施形態に係るインクジェット記録装置１ａでは、電源部１６による電力の供給が停止したことで印刷が停止した後も、予備電源部１５によって供給される電力により冷却手段４を駆動し続けることを特徴としている。具体的な制御処理について、図５を参照して説明する。図５は、インクジェット記録装置１ａを示す要部構成図である。
【００６０】
図５に示すように、制御手段２ａは、冷却制御手段７、検出手段８、および予備電源制御手段９を有している。検出手段８は、インク吐出部５におけるインク吐出の状態を検出するのに加えて、電源部１６による電力の供給状態を検出する。予備電源制御手段９は、検出手段８が検出した電源部１６による電力の供給状態の情報に基づいて、予備電源部１５を制御している。
【００６１】
＜予備電源部１５の制御＞
検出手段８が検出した電源部１６による電力の供給状態の情報に基づいて、予備電源制御手段９が予備電源部１５を制御する処理について、図６に沿って説明する。図６は、検出手段８が検出した電源部１６による電力の供給状態の情報に基づいて、予備電源制御手段９が予備電源部１５を制御するまでの流れを示すフロー図である。
【００６２】
まず検出手段８は、インク吐出部５におけるインク吐出の状態を検出する（ステップＳ１１）。検出手段８では、インク吐出部５においてインクを吐出している状態から、インクを吐出していない状態に切り替わった時点でインク吐出部５においてインクの吐出が終了したと判断する。すなわち、インク吐出部５においてインクを吐出している状態から、インクを吐出していない状態に切り替わった時点で印刷が停止したと判断する。
【００６３】
検出手段８が、インク吐出部５においてインクの吐出が終了したことを検知すると（Ｓ１２，ＹＥＳ）、検出手段８は、続いて電源部１６による電力の供給状態を検出する（Ｓ１３）。電力の供給状態を検出するとは、電源部１６によるインクジェット記録装置１への電力の供給が停止している状態であるのか否かを検出することである。
【００６４】
検出手段８が、電源部１６による電力の供給が停止していることを検知すると（Ｓ１４，ＹＥＳ）、検出手段８の検知情報は冷却制御手段７および予備電源制御手段９に送られる。具体的には、インク吐出部５においてインクの吐出が終了した旨の情報は冷却制御手段７に送られ、電源部１６による電力の供給が停止している旨の情報は予備電源制御手段９に送られる。
【００６５】
予備電源制御手段９は、検出手段８の検知情報に基づいて、予備電源部１５に、制御手段２ａおよび冷却手段４に対して電力を供給させる（Ｓ１６）。そして、冷却制御手段７は、検出手段８の検知情報に基づいて、インク吐出部５においてインクの吐出が終了してから所定の時間が経過するまで、冷却手段４を駆動し続ける（Ｓ１５）。これにより、停電等で電源部１６による電力の供給が停止したことで印刷が停止した後も、予備電源部１５によって供給される電力により、所定の時間の間だけ冷却手段４は駆動し続けることになる。
【００６６】
一方、検出手段８が、電源部１６による電力の供給が停止していることを検知しない場合には（Ｓ１４，ＮＯ）、冷却制御手段７は、検出手段８の検知情報に基づいて、インク吐出部５におけるインクの吐出が終了してから所定の時間が経過するまで、冷却手段４を駆動し続ける（Ｓ１５）。このように、停電等で電源部１６による電力の供給が停止したためではなく、通常の印刷処理が終了したことで印刷が停止した後も、所定の時間の間だけ冷却手段４は駆動し続けることになる。
【００６７】
Ｓ１２にて、インク吐出部５においてインクの吐出が終了したことを検知しない場合には（ＮＯ）、Ｓ１１に戻り、インク吐出部５におけるインク吐出の状態の検出を行う。インクジェット記録装置１ａでは、以上の一連の動作を繰り返し行う。
【００６８】
このように、検出手段８が、電源部１６による電力の供給が停止したことでインク吐出部５においてインクの吐出が終了したことを検知すると、予備電源制御手段９は、予備電源部１５に、制御手段２ａおよび冷却手段４に対して電力を供給させる。そして、冷却制御手段７は、インク吐出部５におけるインクの吐出が終了してから所定の時間が経過するまで、冷却手段４を駆動し続ける。すなわち、停電等で電源部１６による電力の供給が停止することで印刷が停止した後も、冷却手段４は停止せずに、予備電源部１５によって供給される電力により、所定の時間の間だけ駆動し続ける。そのため、停電等によってインクジェット記録装置１ａへの電力供給が停止することで印刷が停止した後も、分解装置３の冷却が引き続き行われる。これにより、インクジェット記録装置１ａにおいて、一時的に発生する分解装置３内における過剰な熱を抑えられるので、分解装置３内の部品の破損を防ぐことができる。
【００６９】
〔第３の実施形態〕
続いて、本発明の第３の実施形態について、図７を参照して詳細に説明する。図７は、本実施形態に係るインクジェット記録装置を示す概略図である。なお、第１および第２の実施形態と同一の部材については、共通の番号を付し、その説明を省略している。
【００７０】
（インクジェット記録装置１ｂ）
図７に示すように、本実施形態に係るインクジェット記録装置１ｂは、制御手段２ｂ、分解装置３、冷却手段４、インク吐出部５、送風手段１１、電源部１６、および予備電源部１５を有している。送風手段１１は、インク吐出部５から排気ガスが排出される排出口とは反対側の開口部に設けられている。送風手段１１は、インク吐出部５（記録ヘッド１７がインクの吐出を行う領域）内に送風することによって、インク吐出部５内の揮発性有機化合物を、排気ダクト１４ａ、冷却手段４、および排気ダクト１４ｂを通って、分解装置３まで導く。また、予備電源部１５は、電源部１６による電力の供給が停止した場合に、制御手段２ｂおよび冷却手段４に加えて、送風手段１１にも電力を供給する。図中の太線の矢印は、予備電源部１５による電力供給を表している。なお、図を簡略化するために電源部１６による電力供給は表していない。
【００７１】
（制御手段２ｂ）
第１の実施形態に係るインク吐出部５では、プラテン１９の乾燥手段がメディア２０に吐出されたインクを乾燥するため、インク吐出部５の内部には揮発した水蒸気および揮発性有機化合物等が滞留しており、高湿度になっている。高湿度下では、プラテン１９の乾燥手段によるインクの乾燥が妨げられる可能性が高い。そこで、本実施形態に係るインクジェット記録装置１ｂでは、インク吐出部５内に送風する送風手段１１を有していることを特徴としている。送風手段１１がインク吐出部５内の揮発性有機化合物を排気ダクト１４ａに導くことにより、インク吐出部５内でインクの乾燥によって揮発する揮発性有機化合物を希釈している。
【００７２】
しかしながら、停電等でインクジェット記録装置１ｂへの電力の供給が停止してしまうと、送風手段１１が停止する。そのため、インク吐出部５の内部には揮発した水蒸気および揮発性有機化合物等が滞留し、プラテン１９の乾燥手段によるインクの乾燥が妨げられる虞がある。そこで、本実施形態に係るインクジェット記録装置１ｂでは、電源部１６による電力の供給が停止した後も、予備電源部１５によって供給される電力により送風手段１１を駆動し続けることも特徴としている。具体的な制御処理について、図８を参照して説明する。図８は、インクジェット記録装置１ｂを示す要部構成図である。
【００７３】
図８に示すように、制御手段２ｂは、冷却制御手段７、検出手段８、予備電源制御手段９、および送風制御手段１０を有している。上述したように、検出手段８は、インク吐出部５におけるインク吐出の状態を検出するのに加えて、電源部１６による電力の供給状を検出する。送風制御手段１０は、検出手段８が検出した電源部１６による電力の供給状態の情報に基づいて、送風手段１１を制御している。
【００７４】
＜送風手段１１の制御＞
検出手段８が検出した電源部１６による電力の供給状態の情報に基づいて、送風制御手段１０が送風手段１１を制御する処理について、図９に沿って説明する。図９は、検出手段８が検出した電源部１６による電力の供給状態の情報に基づいて、送風制御手段１０が送風手段１１を制御するまでの流れを示すフロー図である。
【００７５】
まず検出手段８は、インク吐出部５におけるインク吐出の状態を検出し、続いて電源部１６による電力の供給状態を検出する（Ｓ２１〜Ｓ２４）。Ｓ２１〜Ｓ２４の処理は、第２の実施形態におけるＳ１１〜Ｓ１４の処理と同じであるため、その処理内容についてはここでは言及しない。
【００７６】
検出手段８が、電源部１６による電力の供給が停止していることを検知すると（Ｓ２４，ＹＥＳ）、検出手段８の検知情報は冷却制御手段７、予備電源制御手段９、および送風制御手段１０に送られる。具体的には、インク吐出部５においてインクの吐出が終了した旨の情報は冷却制御手段７に送られ、電源部１６による電力の供給が停止している旨の情報は予備電源制御手段９および送風制御手段１０に送られる。
【００７７】
予備電源制御手段９は、検出手段８の検知情報に基づいて、予備電源部１５に、制御手段２ｂ、冷却手段４、および送風手段１１に対して電力を供給させる（Ｓ２６）。そして、冷却制御手段７は、検出手段８の検知情報に基づいて、インク吐出部５においてインクの吐出が終了してから所定の時間が経過するまで、冷却手段４を駆動し続ける（Ｓ２５）。これにより、停電等で電源部１６による電力の供給が停止したことで印刷が停止した後も、予備電源部１５によって供給される電力により、所定の時間の間だけ冷却手段４は駆動し続けることになる。また、送風制御手段１０は、検出手段８の検知情報に基づいて、送風手段１１を駆動し続ける（Ｓ２７）。これにより、停電等で電源部１６による電力の供給が停止した後も、予備電源部１５によって供給される電力により送風手段１１も駆動し続けることになる。
【００７８】
一方、検出手段８が、電源部１６による電力の供給が停止していることを検知しない場合には（Ｓ２４，ＮＯ）、冷却制御手段７は、検出手段８の検知情報に基づいて、インク吐出部５におけるインクの吐出が終了してから所定の時間が経過するまで、冷却手段４を駆動し続ける（Ｓ２５）。このように、停電等で電源部１６による電力の供給が停止したためではなく、通常の印刷処理が終了したことで印刷が停止した後も、所定の時間の間だけ冷却手段４は駆動し続けることになる。
【００７９】
Ｓ２２にて、インク吐出部５においてインクの吐出が終了したことを検知しない場合には（ＮＯ）、Ｓ２１に戻り、インク吐出部５におけるインク吐出の状態の検出を行う。インクジェット記録装置１ｂでは、以上の一連の動作を繰り返し行う。
【００８０】
このように、検出手段８が、電源部１６による電力の供給が停止したことでインク吐出部５においてインクの吐出が終了したことを検知すると、予備電源制御手段９は、予備電源部１５に、制御手段２ｂ、冷却手段４、および送風手段１１に対して電力を供給させる。そして、送風制御手段１０は、インク吐出部５におけるインクの吐出が終了した後も、送風手段１１を駆動し続ける。すなわち、停電等で電源部１６による電力の供給が停止した後も、送風手段１１は停止せずに、予備電源部１５によって供給される電力により、駆動し続ける。そのため、停電等によってインクジェット記録装置１ｂへの電力供給が停止することで印刷が停止した後も、インク吐出部５内への送風が引き続き行われ、インク吐出部５内でインクの乾燥によって揮発する揮発性有機化合物が希釈されている。これにより、インク吐出部５の内部に揮発した水蒸気および揮発性有機化合物等が滞留しないので、プラテン１９の乾燥手段によるインクの乾燥が妨げられるのを防ぐことができる。
【００８１】
〔第４の実施形態〕
以下には、本発明の第４の実施形態について、図１０を参照して詳細に説明する。図１０は、本実施形態に係るインクジェット記録装置を示す概略図である。なお、第１〜第３の実施形態と同一の部材については、共通の番号を付し、その説明を省略している。
【００８２】
（インクジェット記録装置１ｃ）
図１０に示すように、本実施形態に係るインクジェット記録装置１ｃは、制御手段２ｃ、分解装置３、冷却手段４、インク吐出部５、開閉手段１３、予備電源部１５、および電源部１６を有している。開閉手段１３は、排気ダクト１４ａに設けられており、排気ダクト１４ａに設けられた流通口２１を開閉する開閉弁等の開閉手段である。開閉手段１３は、流通口２１を開くことによって、外部の待機を排気ダクト１４ａの内部に流通する。また、予備電源部１５は、電源部１６による電力の供給が停止した場合に、制御手段２ｃおよび冷却手段４に加えて、開閉手段１３にも電力を供給する。図中の太線の矢印は、予備電源部１５による電力供給を表している。なお、図を簡略化するために電源部１６による電力供給は表していない。
【００８３】
（制御手段２ｃ）
第１の実施形態において、停電等でインクジェット記録装置１ａへの電力の供給が停止してしまうと、分解装置３が停止する。これにより、分解装置３内の温度が上昇すると共に、分解装置３内に揮発性有機化合物や微細なインクミストが滞留していき、分解装置３内の揮発性有機化合物の濃度が分解可能量を超えて高まることで未分解の成分が分解装置３に付着するため、分解装置３内の部品を汚損する虞がある。そこで、本実施形態に係るインクジェット記録装置１ｃでは、電源部１６による電力の供給が停止すると、予備電源部１５によって供給される電力により開閉手段１３が流通口２１を開くことを特徴としている。具体的な制御処理について、図１１を参照して説明する。図１１は、インクジェット記録装置１ｃを示す要部構成図である。
【００８４】
図１１に示すように、制御手段２ｃは、冷却制御手段７、検出手段８、予備電源制御手段９、および開閉制御手段１２を有している。上述したように、検出手段８は、インク吐出部５におけるインク吐出の状態を検出するのに加えて、電源部１６による電力の供給状を検出する。開閉制御手段１２は、検出手段８が検出した電源部１６による電力の供給状態の情報に基づいて、開閉手段１３を制御している。
【００８５】
＜開閉手段１３の制御＞
検出手段８が検出した電源部１６による電力の供給状態の情報に基づいて、開閉制御手段１２が開閉手段１３を制御する処理について、図１２に沿って説明する。図１２は、検出手段８が検出した電源部１６による電力の供給状態の情報に基づいて、開閉制御手段１２が開閉手段１３を制御するまでの流れを示すフロー図である。
【００８６】
まず検出手段８は、インク吐出部５におけるインク吐出の状態を検出し、続いて電源部１６による電力の供給状態を検出する（Ｓ３１〜Ｓ３４）。Ｓ３１〜Ｓ３４の処理は、第２の実施形態におけるＳ１１〜Ｓ１４の処理と同じであるため、その処理内容についてはここでは言及しない。
【００８７】
検出手段８が、電源部１６による電力の供給が停止していることを検知すると（Ｓ３４，ＹＥＳ）、検出手段８の検知情報は冷却制御手段７、予備電源制御手段９、および開閉制御手段１２に送られる。具体的には、インク吐出部５においてインクの吐出が終了した旨の情報は冷却制御手段７に送られ、電源部１６による電力の供給が停止している旨の情報は予備電源制御手段９および開閉制御手段１２に送られる。
【００８８】
予備電源制御手段９は、検出手段８の検知情報に基づいて、予備電源部１５に、制御手段２ｂ、冷却手段４、および開閉手段１３に対して電力を供給させる（Ｓ３６）。そして、冷却制御手段７は、検出手段８の検知情報に基づいて、インク吐出部５においてインクの吐出が終了してから所定の時間が経過するまで、冷却手段４を駆動し続ける（Ｓ３５）。これにより、停電等で電源部１６による電力の供給が停止したことで印刷が停止した後も、予備電源部１５によって供給される電力により、所定の時間の間だけ冷却手段４は駆動し続けることになる。また、開閉制御手段１２は、検出手段８の検知情報に基づいて、開閉手段１３に流通口２１を開かせる（Ｓ３７）。これにより、停電等で電源部１６による電力の供給が停止すると、予備電源部１５によって供給される電力により開閉手段１３は流通口２１を開く。
【００８９】
一方、検出手段８が、電源部１６による電力の供給が停止していることを検知しない場合には（Ｓ３４，ＮＯ）、冷却制御手段７は、検出手段８の検知情報に基づいて、インク吐出部５におけるインクの吐出が終了してから所定の時間が経過するまで、冷却手段４を駆動し続ける（Ｓ３５）。このように、停電等で電源部１６による電力の供給が停止したためではなく、通常の印刷処理が終了したことで印刷が停止した後も、所定の時間の間だけ冷却手段４は駆動し続けることになる。
【００９０】
Ｓ３２にて、インク吐出部５においてインクの吐出が終了したことを検知しない場合には（ＮＯ）、Ｓ３１に戻り、インク吐出部５におけるインク吐出の状態の検出を行う。インクジェット記録装置１ｃでは、以上の一連の動作を繰り返し行う。
【００９１】
このように、検出手段８が、電源部１６による電力の供給が停止したことでインク吐出部５においてインクの吐出が終了したことを検知すると、予備電源制御手段９は、予備電源部１５に、制御手段２ｂ、冷却手段４、および開閉手段１３に対して電力を供給させる。そして、開閉制御手段１２は、電源部１６による電力の供給が停止すると、開閉手段１３に流通口２１を開かせる。すなわち、停電等で電源部１６による電力の供給が停止すると、開閉手段１３は予備電源部１５によって供給される電力により流通口２１を開き、排気ダクト１４ａ内に外部の大気を流通する。これにより、排気ダクト１４ａ内に外部の大気が導入されると共に、排気ダクト１４ａ内の揮発性有機化合物が外部に排出される。その結果、分解装置３内の揮発性有機化合物の濃度の上昇が抑えられるので、分解装置３内の部品の汚損を防ぐことができる。
【００９２】
なお、以上では、排気ダクト１４ａに流通口２１を設ける構成を挙げたが、必ずしもこれに限定されるわけではない。例えば、分解装置３から排出された排気ガスを、インク吐出部５に戻す循環経路を設けている場合には、流通口２１を分解装置３の排出口に設けてもよい。この場合は、電源部１６による電力の供給が停止すると、開閉手段１３は排出口に設けられた流通口２１を開く。これにより、停電等で電源部１６による電力の供給が停止した場合に、分解装置３内の揮発性有機化合を外部に迅速に排出することができる。
【００９３】
〔付記事項〕
本発明の一態様に係るインクジェット記録装置１は、揮発性有機化合物を含むインクを記録媒体に吐出する記録ヘッド１７を備えるインクジェット記録装置１であって、上記記録ヘッド１７から吐出されるインクに含まれる揮発性有機化合物を分解する分解装置３と、上記分解装置３内に送風することによって、当該分解装置３を冷却する冷却手段４と、上記冷却手段４を制御する制御手段２であって、上記記録ヘッド１７がインクの吐出を終了してから所定の時間が経過するまで、上記冷却手段４を駆動し続ける制御手段２とを備えることを特徴としている。
【００９４】
上記の構成によれば、制御手段２は、記録ヘッド１７がインクの吐出を終了してから所定の時間が経過するまで、冷却手段４を駆動し続ける。すなわち、印刷が停止した後も、冷却手段４は停止せずに、所定の時間の間だけ駆動し続ける。
【００９５】
分解装置３において揮発性有機化合物を排気ガスに分解する際に熱が生じるため、排気ガスは揮発性有機化合物を分解する際に生じる熱を有している。従来では、印刷停止時に冷却手段による分解装置内への送風が止まり、分解装置内に滞留する揮発性有機化合物の分解が継続して行われるために分解装置が高温になり、分解装置内の部品を破損してしまうことがあった。
【００９６】
しかし、本発明の一態様に係るインクジェット記録装置１では、印刷が停止した後も、分解装置３の冷却が引き続き行われる。これにより、インクジェット記録装置１において、一時的に発生する分解装置３内における過剰な熱を抑えることができるので、分解装置３内の部品の破損を防ぐことができる。
【００９７】
さらに、本発明の一態様に係るインクジェット記録装置１ａにおいては、上記インクジェット記録装置１ａを駆動するための電力を供給する電源部１６と、上記電源部１６が電力の供給を停止した場合に、上記制御手段２および上記冷却手段４に電力を供給する予備電源部１６とをさらに備え、上記制御手段２は、上記予備電源部１６による電力の供給をも制御するものであり、上記電源部１５が電力の供給を停止したことで上記記録ヘッド１７がインクの吐出を終了すると、当該記録ヘッド１７がインクの吐出を終了してから上記所定の時間が経過するまで、上記予備電源部１６によって上記冷却手段４を駆動し続ける構成であってもよい。
【００９８】
上記の構成によれば、電源部１５による電力の供給が停止すると、制御手段２は、予備電源部１６に、制御手段２および冷却手段４に対して電力を供給させる。そして、制御手段２は、記録ヘッド１７がインクの吐出を終了してから所定の時間が経過するまで、冷却手段４を駆動し続ける。すなわち、停電等で電源部１５による電力の供給が停止することで印刷が停止した後も、冷却手段４は停止せずに、予備電源部１６によって供給される電力により、所定の時間の間だけ駆動し続ける。
【００９９】
そのため、停電等によってインクジェット記録装置１ａへの電力供給が停止することで印刷が停止した後も、分解装置３の冷却が引き続き行われる。これにより、分解装置３内に一時的に過剰な熱の発生が抑えられるので、分解装置３内の部品の破損を防ぐことができる。
【０１００】
さらに、本発明の一態様に係るインクジェット記録装置１ｂにおいては、上記記録ヘッド１７がインクの吐出を行う領域に送風することによって、上記揮発性有機化合物を上記分解装置３まで導く送風手段１１をさらに備え、上記制御手段２は、上記電源部１５が電力の供給を停止した場合に、上記予備電源部１６によって上記送風手段１１にも電力を供給する構成であってもよい。
【０１０１】
上記の構成によれば、電源部１５による電力の供給が停止すると、制御手段２は、予備電源部１６に、制御手段２、冷却手段４、および送風手段１１に対して電力を供給させる。そして、制御手段２は、電源部１５による電力の供給が停止したことで記録ヘッド１７がインクの吐出を終了した後も、送風手段１１を駆動し続ける。すなわち、停電等で電源部１５による電力の供給が停止した後も、送風手段１１は停止せずに、予備電源部１６によって供給される電力により、駆動し続ける。
【０１０２】
そのため、停電等によってインクジェット記録装置１ｂへの電力供給が停止することで印刷が停止した後も、記録ヘッド１７がインクの吐出を行う領域への送風が引き続き行われ、当該領域内でインクの乾燥によって揮発する揮発性有機化合物が希釈される。これにより、記録ヘッドがインクの吐出を行う領域の内部に揮発した水蒸気および揮発性有機化合物等が滞留し、インクの乾燥が妨げられるのを防ぐことができる。
【０１０３】
さらに、本発明の一態様に係るインクジェット記録装置１においては、上記分解装置３内の温度を検出する温度センサをさらに備え、上記制御手段２は、上記温度センサが検出した温度に応じて、上記冷却手段４による送風量を制御する構成であってもよい。
【０１０４】
上記の構成によれば、分解装置３内の温度に応じて、冷却手段４による送風量を制御する。例えば、温度センサによって検出された分解装置３内の温度が所定の温度よりも高い場合には、制御手段２は、冷却手段４による分解装置３内への送風量を増加させることによって、分解装置３の冷却をより効果的に行う。一方、温度センサによって検出された分解装置３内の温度が所定の温度以下の場合には、制御手段２は、冷却手段４による分解装置３内への送風量を低減させる。このように、分解装置３内の温度に応じて、冷却手段４による送風量を制御することにより、分解装置３内の温度上昇が抑えられるので、分解装置３内の部品の破損を防ぐことができる。
【０１０５】
さらに、本発明の一態様に係るインクジェット記録装置１においては、上記記録ヘッド１７がインクの吐出を行う領域から上記分解装置３までの間に位置し、上記揮発性有機化合物の濃度を検出する濃度センサをさらに備え、上記制御手段２は、上記濃度センサが検出した濃度に応じて、上記冷却手段４による送風量を制御する構成であってもよい。
【０１０６】
上記の構成によれば、記録ヘッド１７がインクの吐出を行う領域から分解装置３までの間の揮発性有機化合物の濃度に応じて、冷却手段４による送風量を制御する。例えば、濃度センサによって検出された揮発性有機化合物の濃度が所定の濃度よりも高い場合には、制御手段２は、冷却手段４による分解装置内への送風量を増加させることによって、分解装置３内の揮発性有機化合物の濃度の上昇を抑制する。一方、濃度センサによって検出された揮発性有機化合物の濃度が所定の濃度以下の場合には、制御手段２は、冷却手段４による分解装置３内への送風量を低減させる。このように、記録ヘッド１７がインクの吐出を行う領域から分解装置３までの間の揮発性有機化合物の濃度に応じて、冷却手段４による送風量を制御することにより、分解装置３内の揮発性有機化合物の濃度の上昇が抑えられるので、分解装置３内の部品の破損を防ぐことができる。
【０１０７】
さらに、本発明の一態様に係るインクジェット記録装置１ｃにおいては、上記記録ヘッド１７がインクの吐出を行う領域から上記分解装置３まで上記揮発性有機化合物を導く排気ダクト１４ａであって、外部の大気を内部に流通するための流通口２１を設けた排気ダクト１４ａと、上記流通口２１を開閉する開閉手段１３とをさらに備え、上記制御手段２は、上記開閉手段１３による上記流通口２１の開閉をも制御するものであり、上記電源部１５が電力の供給を停止した場合に、上記予備電源部１６によって上記開閉手段１３にも電力を供給すると共に、上記予備電源部１６によって上記開閉手段１３に上記流通口２１を開かせる構成であってもよい。
【０１０８】
上記の構成によれば、電源部１５による電力の供給が停止すると、制御手段２は、予備電源部１６に、制御手段２、冷却手段４、および開閉手段１３に対して電力を供給させる。そして、制御手段２は、電源部１５による電力の供給が停止すると、開閉手段１３に流通口２１を開かせる。すなわち、停電等で電源部１５による電力の供給が停止すると、開閉手段１３は予備電源部１６によって供給される電力により流通口２１を開き、排気ダクト１４ａ内に外部の大気を流通する。これにより、排気ダクト１４ａ内に外部の大気が導入されると共に、排気ダクト１４ａ内の揮発性有機化合物が外部に排出される。その結果、分解装置３内の揮発性有機化合物の濃度の上昇が抑えられるので、分解装置３内の部品の汚損を防ぐことができる。
【０１０９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１１０】
本発明は、インクジェットプリントに好適に利用することができる。
【符号の説明】
【０１１１】
１，１ａ〜１ｃ  インクジェット記録装置
２，２ａ〜２ｃ  制御手段
３  分解装置
４  冷却手段
５  インク吐出部
６  センサ
７  冷却制御手段
８  検出手段
９  予備電源制御手段
１０  送風制御手段
１１  送風手段
１２  開閉制御手段
１３  開閉手段
１４ａ〜１４ｃ  排気ダクト
１５  予備電源部
１６  電源部
１７  記録ヘッド
１８  ガイド機構
１９  プラテン
２０  メディア
２１  流通口
【図１】
2014133399.tif 000003
【図２】
2014133399.tif 000004
【図３】
2014133399.tif 000005
【図４】
2014133399.tif 000006
【図５】
2014133399.tif 000007
【図６】
2014133399.tif 000008
【図７】
2014133399.tif 000009
【図８】
2014133399.tif 000010
【図９】
2014133399.tif 000011
【図１０】
2014133399.tif 000012
【図１１】
2014133399.tif 000013
【図１２】
2014133399.tif 000014